(57)【要約】【課題】製造工程を簡略化しながらも、歩留まり率を低下させることなく電極層に電圧を印加するための配線の配置による視認性低下を回避する。【解決手段】ギャップを介して配列した表示電極１１ａ〜１１ｐと透明電極２１とが情報表示層３０を介して対向配置され、表示電極１１ａ〜１１ｐに第１及び第２の電圧のいずれか一方を選択的に印加することにより、情報表示層３０を一方の面側から見た場合に、情報表示層３０の第１の電圧が印加された表示電極に対向する領域と情報表示層３０の第２の電圧が印加された表示電極に対向する領域とで互いに異なる２色を表示する情報表示装置において、複数の表示電極１１ａ〜１１ｐに電圧を印加するための配線１２ａ〜１２ｐがギャップに配置され、情報表示層２０は、ギャップに対向する領域が、２色の中間色を含む色に設定されている。【選択図】図１
2010217369.tif 000002
【特許請求の範囲】
【請求項１】
対向配置された第１及び第２の電極層と、前記第１の電極層と前記第２の電極層との間に挟み込まれた情報表示層とを有し、前記第１の電極層がギャップを介して複数の電極に分割され、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる２色を表示する情報表示装置において、
前記複数の電極に電圧を印加するための配線が前記ギャップに配置され、
前記情報表示層は、前記ギャップに対向する領域が、前記２色の中間色を含む色に設定されていることを特徴とする情報表示装置。
【発明の詳細な説明】
【技術分野】
【０００１】
本発明は、対向配置された２つの電極層間に挟み込まれた情報表示層において電極層に印加される電圧に基づいて２色を表示する情報表示装置に関し、特に、電極層に電圧を印加するための配線の配置による視認性低下を回避するための技術に関する。
【背景技術】
【０００２】
従来より、情報を表示する表示装置として、ＣＲＴディスプレイや液晶ディスプレイ、プラズマディスプレイ等が用いられており、これらは、テレビ受像機に用いられることによりテレビ局から送信されたテレビ映像を表示したり、パソコンのディスプレイとして用いられることにより、パソコンに保存された情報やインターネットを介して配信された情報を表示したりすることができる。これらの表示装置は、それぞれ一長一短を有しており、例えば、ＣＲＴディスプレイは、視野角が広いものの奥行きサイズが厚く、また、液晶ディスプレイは、奥行きサイズが薄いものの視野角が狭く、また、プラズマディスプレイは、視野角が広く奥行きサイズが薄いものの消費電力が多い。
【０００３】
近年、上述したような表示装置に加えて、デジタル情報を紙のように薄い表示媒体に表示する薄型の情報表示装置が普及しはじめている。このような薄型の情報表示装置としては、例えば、対向配置された２つの電極層間に、帯電性粒子が液体内に分散した情報表示層を挟み込み、２つの電極層に電圧が印加された場合に帯電性粒子が液体内を移動することにより、情報を表示する電気泳動ディスプレイがある。このような薄型の情報表示装置は、紙のように薄いために携帯がしやすいとともに、消費電力が少なく、また視野角が広く、さらには、電極に与える電荷によって表示される情報を書き換えることができるとともに、電源を切断した場合でも表示内容を保持できることから、今後のさらなる普及が予想される。
【０００４】
図４は、一般的な電気泳動ディスプレイの積層構造を示す図である。
【０００５】
一般的な電気泳動ディスプレイは図４に示すように、ガラス等からなる透明基板１２２の一方の面に透明電極（例えば、ＩＴＯ：Indium Tin Oxide）１２１が形成されてなる透明導電膜基板１２０と、保護基材１４０上に積層された絶縁層１５０との間に情報表示層１３０が挟み込まれて構成されている。
【０００６】
絶縁層１５０の情報表示層１３０に対向する面には、情報表示層１３０を用いて情報を表示するための複数の表示電極１１１が形成されており、また、絶縁層１５０の情報表示層１３０とは反対側の面には、表示電極１１１に電圧を印加するための配線１１２が形成されており、複数の表示電極１１１は、絶縁層１５０に形成された導通部１１３を介して配線１１２に接続されている。
【０００７】
情報表示層１３０は、枠材１３１及び隔壁１３２と、これら枠材１３１及び隔壁１３２で囲まれた領域に収容された隔壁内液体１３３とから構成されており、隔壁内液体１３３には、帯電性粒子１３４が分散している。
【０００８】
上記のように構成された電気泳動ディスプレイにおいては、配線１１２によって表示電極１１１に選択的に電圧が印加されると、隔壁内液体１３３内にて帯電性粒子１３４がクーロン力で移動し、表示電極１１１と透明電極１２１のいずれか一方の側に付着する。そして、隔壁内液体１３３が染料または顔料で着色されており、帯電性粒子１３４が高屈折率の光散乱成分を含むため、表示電極１１１側に帯電性粒子１３４が付着した領域が着色された状態となり、また、透明電極１２１側に帯電性粒子１３４が付着した領域が白色となり、この着色された領域と白色の領域とによって所望の情報が表現され、透明導電膜基板１２０を保護基材１４０とは反対側から見た場合、その表現された情報が見えるようになる。
【０００９】
ここで、上述したような電気泳動ディスプレイにおいては、表示電極１１１と配線１１２とを接続するために絶縁層１５０に導通部１１３を形成する必要があるが、表示電極１１１に電圧を印加するための配線１１２を複数の表示電極１１１間に配置することにより、絶縁層１５０に導通部１１３を形成する必要がなくなり、そのための工程が不要となり、さらには、絶縁層１５０自体も不要となり、コストダウンを図ることができる。
【００１０】
ところが、複数の表示電極１１１間に配線１１２を配置した場合、表示電極１１１に選択的に電圧が印加されると、情報表示部１３０の配線１１２に対向する領域においても、上述したように隔壁内液体１３３内にて帯電性粒子１３４がクーロン力で移動し、配線１１２側に帯電性粒子１３４が付着した領域が着色された状態となり、また、透明電極１２１側に帯電性粒子１３４が付着した領域が白色となり、表示電極１１１によって表示される情報の視認性が低下してしまう。
【００１１】
そこで、情報表示層１３０のうち、表示電極１１１間に配置された配線１１２に対向する領域に印刷等によって隠蔽部を設け、それにより、表示電極１１１によって表示される情報の視認性の低下を回避する技術が考えられている（例えば、特許文献１参照。）。
【先行技術文献】
【特許文献】
【００１２】
【特許文献１】特許第３０９９０４８号公報
【発明の概要】
【発明が解決しようとする課題】
【００１３】
上述したように、情報表示層のうち表示電極間に配置された配線に対向する領域に印刷等によって隠蔽部を設けることにより、表示電極によって表示される情報の視認性の低下を回避するものにおいては、隠蔽部と配線との位置合わせを行う必要があるが、表示電極間のギャップやその領域に配置される配線の太さがかなり細いものであるため、その位置合わせが困難となり、歩留まり率の面から好ましくないという問題点がある。
【００１４】
本発明は、上述したような従来の技術が有する問題点に鑑みてなされたものであって、製造工程を簡略化しながらも、歩留まり率を低下させることなく電極層に電圧を印加するための配線の配置による視認性低下を回避することができる情報表示装置を提供することを目的とする。
【課題を解決するための手段】
【００１５】
上記目的を達成するために本発明は、
対向配置された第１及び第２の電極層と、前記第１の電極層と前記第２の電極層との間に挟み込まれた情報表示層とを有し、前記第１の電極層がギャップを介して複数の電極に分割され、前記複数の電極に第１及び第２の電圧のいずれか一方を選択的に印加することにより、前記情報表示層を一方の面側から見た場合に、前記情報表示層の前記第１の電圧が印加された電極に対向する領域と前記情報表示層の前記第２の電圧が印加された電極に対向する領域とで互いに異なる２色を表示する情報表示装置において、
前記複数の電極に電圧を印加するための配線が前記ギャップに配置され、
前記情報表示層は、前記ギャップに対向する領域が、前記２色の中間色を含む色に設定されていることを特徴とする。
【００１６】
上記のように構成された本発明においては、第１の電極層を構成する複数の電極に第１及び第２の電圧のいずれか一方が選択的に印加されると、情報表示層を一方の面側から見た場合に、情報表示層の第１の電圧が印加された電極に対向する領域と情報表示層の第２の電圧が印加された電極に対向する領域とで互いに異なる２色が表示されるが、この際、複数の電極間のギャップには、これら複数の電極に電圧を印加するための配線が配置されているため、この配線に対向する領域においてもその配線に印加される電圧によって２色のうちいずれか一方が表示されることになる。ところが、情報表示層のギャップに対向する領域が、情報表示層にて表示される２色の中間色を含む色に設定されているので、配線に対向する領域においてその配線に印加される電圧によって２色のうちいずれか一方が表示された場合であっても、情報表示層の配線に対向する領域の表示が目立たなくなり、それにより、製造工程を簡略化するために複数の電極間のギャップに配線を配置しながらも、表示された情報の視認性の低下が回避される。
【００１７】
このように、表示された情報の視認性の低下を回避するために、情報表示層のギャップに対向する領域を、情報表示層にて表示される２色の中間色を含む色に設定するだけであるので、歩留まり率が低下することはない。
【発明の効果】
【００１８】
上記のように構成された本発明においては、対向配置された第１及び第２の電極層と、第１の電極層と第２の電極層との間に挟み込まれた情報表示層とを有し、第１の電極層がギャップを介して複数の電極に分割され、この複数の電極に第１及び第２の電圧のいずれか一方を選択的に印加することにより、情報表示層を一方の面側から見た場合に、情報表示層の第１の電圧が印加された電極に対向する領域と情報表示層の第２の電圧が印加された電極に対向する領域とで互いに異なる２色を表示する情報表示装置において、複数の電極に電圧を印加するための配線が、複数の電極間のギャップに配置され、情報表示層の、複数の電極間のギャップに対向する領域が、情報表示層にて表示される２色の中間色を含む色に設定され、情報表示層の複数の電極間のギャップに対向する領域を、情報表示層にて表示される２色の中間色を含む色に設定するだけで、情報表示層の配線に対向する領域にて表示される色の違いを目立たなくする構成としたため、製造工程を簡略化しながらも、歩留まり率を低下させることなく電極層に電圧を印加するための配線の配置による視認性低下を回避することができる。
【図面の簡単な説明】
【００１９】
【図１】本発明の情報表示装置の実施の一形態を示す図であり、（ａ）は表面から見た図、（ｂ）は（ａ）に示したＡ−Ａ’断面図、（ｃ）は（ｂ）に示した断面図の部分拡大図である。
【図２】図１に示した電気泳動ディスプレイの動作を説明するための図であり、（ａ），（ｂ）は断面を示す図、（ｃ）は表示される情報を示す図である。
【図３】図１に示した電気泳動ディスプレイにおいて、情報表示層の表示電極間のギャップに対向する領域が、透明導電膜基板側から見た場合に灰色となるように設定されていることによる効果を説明するための図である。
【図４】一般的な電気泳動ディスプレイの積層構造を示す図である。
【発明を実施するための形態】
【００２０】
以下に、本発明の実施の形態について図面を参照して説明する。
【００２１】
図１は、本発明の情報表示装置の実施の一形態を示す図であり、（ａ）は表面から見た図、（ｂ）は（ａ）に示したＡ−Ａ’断面図、（ｃ）は（ｂ）に示した断面図の部分拡大図である。
【００２２】
本形態は図１に示すように、ガラス等からなる透明基板２２の一方の面に第２の電極層である透明電極（例えば、ＩＴＯ）２１が形成されてなる透明導電膜基板２０と、保護基材４０との間に情報表示層３０が挟み込まれて構成された電気泳動ディスプレイである。
【００２３】
保護基材４０の情報表示層３０に対向する面には、情報表示層３０を用いて情報を表示するための複数の表示電極１１ａ〜１１ｐが形成されているとともに、この表示電極１１ａ〜１１ｐにそれぞれ電圧を印加するための配線１２ａ〜１２ｐが形成されている。複数の表示電極１１ａ〜１１ｐは、ギャップを介してマトリックス状に配列して形成されており、この複数の表示電極１１ａ〜１１ｐによって第１の電極層が形成される。すなわち、第１の電極層は、ギャップを介して複数の表示電極１１ａ〜１１ｐに分割された状態となっている。表示電極１１ａ〜１１ｐにそれぞれ電圧を印加するための配線１２ａ〜１２ｐは、マトリックス状に配列した複数の表示電極１１ａ〜１１ｐの周囲あるいは表示電極１１ａ〜１１ｐのギャップに配置されている。具体的には、表示電極１１ａ〜１１ｅ，１１ｈ，１１ｉ，１１ｌ，１１ｍ〜１１ｐに電圧を印加するための配線１２ａ〜１２ｅ，１２ｈ，１２ｉ，１２ｌ，１２ｍ〜１２ｐが、マトリックス状に配列した複数の表示電極１１ａ〜１１ｐの周囲に配置され、また、表示電極１１ｆに電圧を印加するための配線１２ｆが、表示電極１１ｅ，１１ｆ間のギャップ、表示電極１１ｉ，１１ｊ間のギャップ及び表示電極１１ｍ，１１ｎ間のギャップに配置され、また、表示電極１１ｇに電圧を印加するための配線１２ｇが、表示電極１１ｇ，１１ｈ間のギャップ、表示電極１１ｋ，１１ｌ間のギャップ及び表示電極１１ｏ，１１ｐ間のギャップに配置され、また、表示電極１１ｊ，１１ｋに電圧を印加するための配線１２ｊ，１２ｋが、表示電極１１ｊ，１１ｋ間のギャップ及び表示電極１１ｎ，１１ｏ間のギャップにそれぞれ配置されている。
【００２４】
これにより、複数の表示電極１１ａ〜１１ｐからなる第１の電極層と第２の電極層である透明電極２１とは、対向配置され、この第１の電極層と透明電極２１との間に情報表示層３０が挟み込まれている。
【００２５】
情報表示層３０は、枠材３１及び隔壁３２と、これら枠材３１及び隔壁３２で囲まれた領域に収容された隔壁内液体３３とから構成されており、隔壁内液体３３には、帯電性粒子３４が分散している。
【００２６】
以下に、上記のように構成された電気泳動ディスプレイの動作について説明する。
【００２７】
図２は、図１に示した電気泳動ディスプレイの動作を説明するための図であり、（ａ），（ｂ）は断面を示す図、（ｃ）は表示される情報を示す図である。
【００２８】
図１に示した電気泳動ディスプレイにて情報を表示する場合、例えば、不図示の配線を介して透明電極２２をＧＮＤ電位とし、また、保護基材４０上に形成された配線１２ａ〜１２ｐのうち、透明導電膜基板２０上に表示したい情報に対応する表示電極に接続された配線をプラス電位とするとともに、その他の配線をマイナス電位とする。これにより、表示電極１１ａ〜１１ｐのうち、プラス電位となった配線に接続された表示電極に第１の電圧であるプラスの電圧が印加されることになり、また、マイナス電位となった配線に接続された表示電極に第２の電圧であるマイナスの電圧が印加されることになる。なお、本形態においては、表示電極１１ａ〜１１ｄ，１１ｇ，１１ｊ，１１ｍ〜１１ｐにプラスの電圧が印加され、表示電極１１ｅ，１１ｆ，１１ｈ，１１ｉ，１１ｋ，１１ｌにマイナスの電圧が印加されたものとする。
【００２９】
すると、枠材３１及び隔壁３２で囲まれた領域に収容された隔壁内液体３３が誘電性物質からなり、帯電性粒子３４がマイナス電位に帯電しているものであることから、帯電性粒子３４が隔壁内液体３３内をクーロン力で移動し、プラスの電圧が印加された表示電極１１ａ〜１１ｄ，１１ｇ，１１ｊ，１１ｍ〜１１ｐに対向する領域においては、図２（ａ）に示すように、帯電性粒子３４が表示電極１１ａ〜１１ｄ，１１ｇ，１１ｊ，１１ｍ〜１１ｐ側に付着し、また、マイナスの電圧が印加された表示電極１１ｅ，１１ｆ，１１ｈ，１１ｉ，１１ｋ，１１ｌに対向する領域においては、図２（ｂ）に示すように、帯電性粒子３４が透明電極２１側に付着する。
【００３０】
そして、隔壁内液体３３が黒色の染料または顔料で着色されており、帯電性粒子３４が高屈折率の光散乱成分を含むため、透明導電膜基板２０側から見た場合、図２（ｃ）に示すように、表示電極１１ａ〜１１ｄ，１１ｇ，１１ｊ，１１ｍ〜１１ｐ側に帯電性粒子３４が付着した領域が黒色となり、また、透明電極２１側に帯電性粒子３４が付着した領域が白色となり、この黒色と白色の２色によって、表示電極１１ａ〜１１ｄ，１１ｇ，１１ｊ，１１ｍ〜１１ｐのパターンが組み合わされた情報“Ｚ”が表現されて見えるようになる。
【００３１】
ここで、マトリックス状に配列した複数の表示電極１１ａ〜１１ｐの周囲あるいは表示電極１１ａ〜１１ｐのギャップには、表示電極１１ａ〜１１ｐにそれぞれ電圧を印加するための配線１２ａ〜１２ｐが配置されているが、この配線１２ａ〜１２ｐは、表示電極１１ａ〜１１ｐに電圧を印加するためにプラスまたはマイナスの電位とされるため、情報表示層３０のこの配線１２ａ〜１２ｐに対向する領域においても、表示電極１１ａ〜１１ｐに対向する領域と同様に、帯電性粒子３４が配線１２ａ〜１２ｐと透明電極２１とのいずれか一方側に付着することにより、透明導電膜基板２０側から見た場合に黒色または白色に見えるようになる。具体的には、配線１２ａ〜１２ｄ，１２ｇ，１２ｊ，１２ｍ〜１２ｐがプラスの電位とされることにより、透明導電膜基板２０側から見た場合、情報表示層３０の配線１２ａ〜１２ｄ，１２ｇ，１２ｊ，１２ｍ〜１２ｐに対向する領域が黒色に見え、また、配線１２ｅ，１２ｆ，１２ｈ，１２ｉ，１２ｋ，１２ｌがマイナスの電位とされることにより、透明導電膜基板２０側から見た場合、配線１２ｅ，１２ｆ，１２ｈ，１２ｉ，１２ｋ，１２ｌに対向する領域が白色に見えるようになる。この際、マトリックス状に配列した複数の表示電極１１ａ〜１１ｐの周囲に配置された配線１２ａ〜１２ｅ，１２ｈ，１２ｉ，１２ｌ，１２ｍ〜１２ｐについては、上述したような情報“Ｚ”の視認性に影響を与えないが、表示電極１１ｅ，１１ｆ間のギャップ、表示電極１１ｉ，１１ｊ間のギャップ及び表示電極１１ｍ，１１ｎ間のギャップに配置された配線１２ｆと、表示電極１１ｇ，１１ｈ間のギャップ、表示電極１１ｋ，１１ｌ間のギャップ及び表示電極１１ｏ，１１ｐ間のギャップに配置された配線１２ｇと、表示電極１１ｊ，１１ｋ間のギャップ及び表示電極１１ｎ，１１ｏ間のギャップにそれぞれ配置された配線１２ｊ，１２ｋについては、これら配線１２ｆ，１２ｇ，１２ｊ，１２ｋの電位が異なる場合に、配線１２ｆ，１２ｇ，１２ｊ，１２ｋが配置された表示電極１１ｅ，１１ｆ間のギャップ、表示電極１１ｉ，１１ｊ間のギャップ及び表示電極１１ｍ，１１ｎ間のギャップに対向する領域と、表示電極１１ｇ，１１ｈ間のギャップ、表示電極１１ｋ，１１ｌ間のギャップ及び表示電極１１ｏ，１１ｐ間のギャップに対向する領域と、表示電極１１ｊ，１１ｋ間のギャップに対向する領域と、表示電極１１ｎ，１１ｏ間のギャップに対向する領域とで、透明導電膜基板２０側から見た場合に見える色が互いに大きく異なり、それにより、情報“Ｚ”の視認性に影響を及ぼしてしまう。また、表示電極１１ｅ，１１ｆ間のギャップ、表示電極１１ｉ，１１ｊ間のギャップ、表示電極１１ｍ，１１ｎ間のギャップ、表示電極１１ｇ，１１ｈ間のギャップ、表示電極１１ｋ，１１ｌ間のギャップ、表示電極１１ｏ，１１ｐ間のギャップ、表示電極１１ｊ，１１ｋ間のギャップ及び表示電極１１ｎ，１１ｏ間のギャップにおける帯電性粒子３４の付着状態によっても、その付着状態によって見える色とそのギャップに配置された配線１２ｆ，１２ｇ，１２ｊ，１２ｋの電位によって見える色とが黒色と白色とで大きく異なる場合、情報“Ｚ”の視認性に影響を及ぼしてしまう。具体的には、配線１２ｆが配置された、表示電極１１ｅ，１１ｆ間のギャップ、表示電極１１ｉ，１１ｊ間のギャップ及び表示電極１１ｍ，１１ｎ間のギャップに対向する領域においては、帯電性粒子３４が透明導電膜基板２０側に付着している場合は、透明導電膜基板２０側から見た場合に白色に見え、かつ、配線１２ｆがマイナスの電位とされることにより、配線１２ｆに対向する領域が白色に見えるため、情報“Ｚ”の視認性に影響が及ばないが、帯電性粒子３４が配線１２ｆ側に付着している場合は、透明導電膜基板２０側から見た場合に黒色に見える一方、配線１２ｆに対向する領域が白色に見えるため、情報“Ｚ”の視認性に影響を及ぼしてしまう。同様に、配線１２ｇが配置された、表示電極１１ｇ，１１ｈ間のギャップ、表示電極１１ｋ，１１ｌ間のギャップ及び表示電極１１ｏ，１１ｐ間のギャップに対向する領域においては、帯電性粒子３４が配線１２ｇ側に付着している場合は、透明導電膜基板２０側から見た場合に黒色に見え、かつ、配線１２ｇがプラスの電位とされることにより、透明導電膜基板２０側から見た場合に黒色に見えるため、情報“Ｚ”の視認性に影響が及ばないが、帯電性粒子３４が透明導電膜基板２０側に付着している場合は、透明導電膜基板２０側から見た場合に白色に見える一方、配線１２ｇに対向する領域が黒色に見えるため、情報“Ｚ”の視認性に影響を及ぼしてしまう。また、配線１２ｊ，１２ｋが配置された、表示電極１１ｊ，１１ｋ間のギャップ及び表示電極１１ｎ，１１ｏ間のギャップに対向する領域においては、帯電性粒子３４が配線１２ｊ，１２ｋ側に付着している場合は、透明導電膜基板２０側から見た場合に黒色に見え、かつ、配線１２ｊがプラスの電位とされるとともに配線１２ｋがマイナスの電位とされることにより、透明導電膜基板２０側から見た場合にこのギャップ全体及び配線１２ｊに対向する領域が黒色に見えるものの、配線１２ｋに対向する領域が白色に見えるため、情報“Ｚ”の視認性に影響を及ぼしてしまい、また、帯電性粒子３４が透明導電膜基板２０側に付着している場合は、透明導電膜基板２０側から見た場合に白色に見え、かつ、配線１２ｊがプラスの電位とされるとともに配線１２ｋがマイナスの電位とされることにより、透明導電膜基板２０側から見た場合にこのギャップ全体及び配線１２ｋに対向する領域が白色に見えるものの、配線１２ｊに対向する領域が黒色に見えるため、情報“Ｚ”の視認性に影響を及ぼしてしまう。
【００３２】
そこで、本形態においては、情報表示層３０の複数の表示電極１１ａ〜１１ｐ間のギャップに対向する領域が、透明導電膜基板２０側から見た場合に上述した黒色と白色との中間色の灰色になるように設定されている。これは、上述したように情報“Ｚ”を表示させるために配線１２ａ〜１２ｐを介して表示電極１１ａ〜１１ｐに電圧を印加する前に、ギャップに対向する領域に電極を配置し、その電極に対して、帯電性粒子３４が隔壁内液体３３を移動して透明導電膜基板２０側から見た場合に情報表示層３０が黒色または白色に見えるようになる電圧よりも低い電圧を印加したり、透明導電膜基板２０側から見た場合に情報表示層３０が黒色または白色に見えるようになる電圧のパルスの半分のパルスを印加したりすることによって、帯電性粒子３４が透明電極２１または表示電極１１ａ〜１１ｐ側に移動しきらずに隔壁内液体３３に分散した状態とすることにより行うことが考えられる。または、上述したような電気泳動ディスプレイは、透明導電膜基板２０上に情報表示層３０を形成し、その後、表示電極１１ａ〜１１ｐ及び配線１２ａ〜１２ｐを形成することになるが、情報表示層３０上に表示電極１１ａ〜１１ｐ及び配線１２ａ〜１２ｐを形成する前に、情報表示層３０に対して上述したような処理を施すことにより、情報表示層３０の全面において透明導電膜基板２０側から見た場合に灰色となるように設定しておく。表示電極１１ａ〜１１ｐ間のギャップにおいては、配線１２ａ〜１２ｐに対向する領域においては、上述したように配線１２ａ〜１２ｐがプラスまたはマイナスの電位とされることにより、透明導電膜基板２０側から見た場合に黒色または白色のいずれかに見えることになるが、配線１２ａ〜１２ｐに対向しない領域においては、情報“Ｚ”を表示するために配線１２ａ〜１２ｐを介して表示電極１１ａ〜１１ｐに電圧が印加された場合においても、灰色の状態が保持される。
【００３３】
図３は、図１に示した電気泳動ディスプレイにおいて、情報表示層３０の表示電極１１ａ〜１１ｐ間のギャップに対向する領域が、透明導電膜基板２０側から見た場合に灰色となるように設定されていることによる効果を説明するための図であり、（ａ）は配線１２ｇ近傍の断面図、（ｂ）は透明導電膜基板２０側から見た場合の配線１２ｇ近傍の見え方を示す図、（ｃ）は配線１２ｆ近傍の断面図、（ｂ）は透明導電膜基板２０側から見た場合の配線１２ｆ近傍の見え方を示す図である。
【００３４】
上述したように、情報表示層３０のうち複数の表示電極１１ａ〜１１ｐ間のギャップに対向する領域においては、帯電性粒子３４が隔壁内液体３３に分散した状態となっており、配線１２ａ〜１２ｐに対向しない領域においては、情報“Ｚ”を表示するために配線１２ａ〜１２ｐを介して表示電極１１ａ〜１１ｐに電圧が印加された場合においても、帯電性粒子３４が隔壁内液体３３に分散した状態が保持されている。
【００３５】
そのため、表示電極１１ｋ，１１ｌ間のギャップに対向する領域においては、情報“Ｚ”を表示するために配線１２ｇを介して表示電極１１ｇにプラス電圧が印加された場合においても、図３（ａ）に示すように、配線１２ｇに対向する領域においては帯電性粒子３４が配線１２ｇ側に付着するものの、配線１２ｇに対向しない領域においては帯電性粒子３４が隔壁内液体３３に分散した状態が保持される。
【００３６】
これにより、表示電極１１ｋ，１１ｌ間のギャップに対向する領域においては、図３（ｂ）に示すように、透明導電膜基板２０側から見た場合、灰色の中に配線１２ｇによる黒色のラインが存在するように見えることになる。
【００３７】
また、表示電極１１ｍ，１１ｎ間のギャップに対向する領域においては、情報“Ｚ”を表示するために配線１２ｆを介して表示電極１１ｆにマイナス電圧が印加された場合においても、図３（ｃ）に示すように、配線１２ｆに対向する領域においては帯電性粒子３４が透明電極２１側に付着するものの、配線１２ｆに対向しない領域においては帯電性粒子３４が隔壁内液体３３に分散した状態が保持される。
【００３８】
これにより、表示電極１１ｍ，１１ｎ間のギャップに対向する領域においては、図３（ｄ）に示すように、透明導電膜基板２０側から見た場合、灰色の中に配線１２ｆによる白色のラインが存在するように見えることになる。
【００３９】
また、配線１２ａ〜１２ｐが配置されていないギャップにおいては、情報“Ｚ”を表示するために配線１２ａ〜１２ｐを介して表示電極１１ａ〜１１ｐに電圧が印加された場合においても、その全体において帯電性粒子３４が隔壁内液体３３に分散した状態が保持され、全体が灰色に見えることになる。
【００４０】
このように、情報表示層３０の表示電極１１ａ〜１１ｐ間のギャップに対向する領域が、情報“Ｚ”を表示するために表示電極１１ａ〜１１ｐに電圧が印加された場合に透明導電膜基板２０側から見える黒色と白色との中間色である灰色に設定されているので、表示電極１１ｅ，１１ｆ間のギャップ、表示電極１１ｉ，１１ｊ間のギャップ及び表示電極１１ｍ，１１ｎ間のギャップに配置された配線１２ｆと、表示電極１１ｇ，１１ｈ間のギャップ、表示電極１１ｋ，１１ｌ間のギャップ及び表示電極１１ｏ，１１ｐ間のギャップに配置された配線１２ｇと、表示電極１１ｊ，１１ｋ間のギャップ及び表示電極１１ｎ，１１ｏ間のギャップにそれぞれ配置された配線１２ｊ，１２ｋとにそれぞれ対向する領域が、透明導電膜基板２０側から見た場合に黒色または白色に見えるような状態となっても、その黒色や白色が、黒色と白色との中間色である灰色の中に見えるような状態となるため、これら配線１２ｆ，１２ｇ，１２ｊ，１２ｋの電位が異なる場合であっても、配線１２ｆ，１２ｇ，１２ｊ，１２ｋが配置された表示電極１１ｅ，１１ｆ間のギャップ、表示電極１１ｉ，１１ｊ間のギャップ及び表示電極１１ｍ，１１ｎ間のギャップに対向する領域と、表示電極１１ｇ，１１ｈ間のギャップ、表示電極１１ｋ，１１ｌ間のギャップ及び表示電極１１ｏ，１１ｐ間のギャップに対向する領域と、表示電極１１ｊ，１１ｋ間のギャップに対向する領域と、表示電極１１ｎ，１１ｏ間のギャップに対向する領域とで、透明導電膜基板２０側から見た場合に見える色に大きな違いが生じず、情報“Ｚ”の視認性に影響を及ぼしてしまうことが回避される。
【００４１】
なお、このように情報表示層３０の表示電極１１ａ〜１１ｐ間のギャップに対向する領域にて見える灰色の効果を顕著なものとするために、配線１２ａ〜１２ｐの太さは、０．１ｍｍ以下であることが好ましい。
【００４２】
なお、本形態においては、情報表示層３０の表示電極１１ａ〜１１ｐ間のギャップに対向する領域にて見える色を、情報を表示するための黒色と白色との中間色の灰色としたが、中間色の灰色に限らず、黒色と白色との中間色を含む色であれば同様の効果を得ることができる。また、情報を表示する色においても、黒色と白色に限らず、隔壁内液体３３と帯電性粒子３４の色によって互いに異なる２色であればよい。
【００４３】
また、本形態においては、帯電性粒子３４がマイナス電位に帯電しているものを例に挙げて説明したが、帯電性粒子３４がプラス電位に帯電しているものであってもよい。その場合、透明導電膜基板２０側から視認される色が、帯電性粒子３４がマイナス電位に帯電しているものに対して黒色と白色とで反転することになる。
【符号の説明】
【００４４】
１１ａ〜１１ｐ    表示電極
１２ａ〜１２ｐ    配線
２０    透明導電膜基板
２１    透明電極
２２    透明基板
３０    情報表示層
３１    枠材
３２    隔壁
３３    隔壁内液体
３４    帯電性粒子
４０    保護基材
【図１】
2010217369.tif 000003
【図２】
2010217369.tif 000004
【図３】
2010217369.tif 000005
【図４】
2010217369.tif 000006